(57)【要約】      （修正有）【課題】コンクリートの破片や粉塵あるいは火花の飛散を防止する、電柱切断装置を提供する。【解決手段】エアコンプレッサー２０と、エア分岐管１３と、回転刃を備えたエアカッター１０と、回転刃を一部を残して覆い、排出口１２を備えるカバー１１と、エアバキュームクリーナー１５と、粉塵回収容器２２とを備え、エアコンプレッサー２０の出力とエア分岐管１３の入力１３ａとは第１流路１０１で接続され、エア分岐管１３の一方の出力１３ｂとエアカッター１０とは第２流路１０２で接続され、エア分岐管１３の他方の出力１３ｃとエアバキュームクリーナー１５の入力１５ａとは第３流路１０３で接続され、カバー１１の排出口１２とエアバキュームクリーナー１５の吸入口１５ｂとは第４流路１０４で接続され、エアバキュームクリーナー１５の排出口１５ｃと粉塵回収容器２２とは第５流路１０５で接続されている。【選択図】図１
0003165564.tif 000002
【実用新案登録請求の範囲】
【請求項１】
エアコンプレッサーと、エア分岐管と、
回転刃を備えたエアカッターと、前記回転刃を一部を残して覆い、排出口を備えるカバーと、
エアバキュームクリーナーと、粉塵回収容器とを備え、
前記エアコンプレッサーの出力と前記エア分岐管の入力とは第１流路で接続され、
前記エア分岐管の一方の出力と前記エアカッターとは第２流路で接続され、
前記エア分岐管の他方の出力と前記エアバキュームクリーナーの入力とは第３流路で接続され、
前記カバーの排出口と前記エアバキュームクリーナーの吸入口とは第４流路で接続され、
前記エアバキュームクリーナーの排出口と前記粉塵回収容器とは第５流路で接続されている、
集塵機能を備えた電柱切断装置。
【請求項２】
前記カバーは、主カバー、補助カバー、ダクトカバーを含み、
回転軸により前記主カバーに前記ダクトカバーが回動可能に取り付けられ、
回転軸により前記ダクトカバーに前記補助カバー回動可能に取り付けられている、
請求項１に記載の集塵機能を備えた電柱切断装置。
【考案の詳細な説明】
【技術分野】
【０００１】
本考案は、電柱を切断する電柱切断装置に関し、より詳細には電柱を切断する際に粉塵や火花を飛散を防止する集塵機能を備えた電柱切断装置に関する。
【背景技術】
【０００２】
老朽化やその他の理由で、既設の電柱を撤去することがある。この作業では、電柱を数本に切断し、切断した電柱をトラックに載せて別の場所に移動する。電柱が立った状態で、あるいは地面から抜いて電柱を地面に寝かせた状態で、電柱を切断する。
【０００３】
ダイヤモンドカッター（またはダイヤモンドホイール）と呼ばれる円形の回転刃を回転させて電柱を切断する。回転刃を回転させる動力は電気や圧縮空気であり、圧縮空気で動作するカッターはエアカッターと呼ばれている。例えば、非特許文献１に記載されたエアグラインダーにダイヤモンドホイールを取り付けてエアカッターとして使用する。
【先行技術文献】
【非特許文献】
【０００４】
【非特許文献１】株式会社東洋空機製作所、”製品一覧−エアグラインダ・コンクリートカッタ”、［online］、インターネット<URL：http://www.toku-mfg.com/air_grinder.html>
【考案の開示】
【考案が解決しようとする課題】
【０００５】
電柱はコンクリート製であるので、切断の際、コンクリートの破片や粉塵が飛散する。あるいは、例えば鉄筋で電柱が補強されている場合、回転刃が鉄筋を切断する際に火花が飛散してしまう。コンクリートの破片や粉塵が飛散すると、作業後、現場の清掃により多くの時間を費やすことを強いる。また、コンクリートの破片や粉塵や火花の飛散は、作業現場の周辺の建物や自動車などに損傷を与える恐れもある。
【０００６】
したがって、本考案の課題は、コンクリートの破片や粉塵あるいは火花の飛散を防止する集塵機能を備えた電柱切断装置を提供することにある。
【課題を解決するための手段】
【０００７】
上記課題を解決するため、本考案の電柱切断装置は集塵機能を備えている。すなわち、
エアコンプレッサーと、エア分岐管と、
回転刃を備えたエアカッターと、前記回転刃を一部を残して覆い、排出口を備えるカバーと、
エアバキュームクリーナーと、粉塵回収容器とを備え、
前記エアコンプレッサーの出力と前記エア分岐管の入力とは第１流路で接続され、
前記エア分岐管の一方の出力と前記エアカッターとは第２流路で接続され、
前記エア分岐管の他方の出力と前記エアバキュームクリーナーの入力とは第３流路で接続され、
前記カバーの排出口と前記エアバキュームクリーナーの吸入口とは第４流路で接続され、
前記エアバキュームクリーナーの排出口と前記粉塵回収容器とは第５流路で接続されている、
集塵機能を備えた電柱切断装置である。
【０００８】
エアコンプレッサーからエア分岐管で分岐された一方の空気は回転刃を備えたエアカッターの動力源となる。分岐された他方の空気はエアバキュームクリーナーの動力源となる。そして、カバーがエアカッターの回転刃を覆うので、コンクリートの破片や粉塵あるいは火花の飛散を防止することができる。さらに、カバーの排出口がエアバキュームクリーナーにより吸引されるので、コンクリートの破片や粉塵あるいは火花は粉塵回収容器に回収される。
【考案を実施するための最良の形態】
【０００９】
以下、図面を用いて、本考案に係る電柱切断装置の実施の形態を説明する。以下の説明は、本考案の範囲を限定するものではない。図１は本考案に係る電柱切断装置の構成を示す図である。電柱切断装置１では、エアコンプレッサー２０が動力源となる。
【００１０】
エアコンプレッサー２０の出力２０ａはホース１０１を介してエア分岐管１３の入力１３ａに接続されている。エア分岐管１３の一方の出力１３ｂはホース１０２を介してエアカッター１０に接続されている。他方の出力１３ｃはホース１０３を介してエアバキュームクリーナー１５の入力１５ａに接続されている。
【００１１】
後に説明するが、カバー１１はエアカッター１０の回転刃を覆っている。カバー１１の排出口１２はホース１０４を介してエアバキュームクリーナー１５の吸入口１５ｂに接続されている。排出口１５ｃはホース１０５を介して粉塵回収容器２２に接続されている。
【００１２】
エアコンプレッサー２０からの圧縮空気の流れ（図１にて矢印で示す）について説明する。圧縮空気はホース１０１を通ってエア分岐管１３で分岐され、分岐した一方はホース１０２を通って、エアカッター１０の動力源となって回転刃を回転させる。
【００１３】
分岐した他方はホース１０３を通って、エアバキュームクリーナー１５の動力源となる。入力１５ａに圧縮空気を送ると吸入口１５ｂに圧力が低くなる。その結果、カバー１１内の空気が、電柱切断時に発生する、コンクリートの破片や粉塵や火花（以下、粉塵等という）と共に、吸引される。そして、粉塵等は吸引された空気と共にホース１０５を介して、粉塵回収容器２２に回収される。したがって、電柱切断時に粉塵等が周囲に飛散することがなく、作業後、現場の清掃により多くの時間を費やすこともなくなる。なお、ホース１０１〜１０５はそれぞれ第１〜第５流路であり、空気の流れる流路としてパイプやチューブを使用してもよい。
【００１４】
また、エアカッター１０とエアバキュームクリーナー１５とは、同じエアコンプレッサー２０からの圧縮空気を動力源としている。両者の動力源が異なる場合（例えば、エアカッターが電気で、エアバキュームクリーナーが圧縮空気で、それぞれ動作する場合）に比べて、作業の準備や撤収に掛かる時間や装置のコストの観点から有利である。
【００１５】
エアコンプレッサー２０として、北越工業株式会社、型式：ＰＤＳ１３０Ｓ（空気量：１．６ｍ３／ｍｉｎ、圧力：０．６９ＭＰａ）が、エアカッター１０として、株式会社東洋空機製作所、型式：ＴＡＧ−９００Ｇ（空気消費量：０．８〜１、２ｍ３／ｍｉｎ）とダイアモンドホイールの組み合わせが、それぞれ使用できる。エアバキュームクリーナー１５として、日本ニューマチック工業株式会社、型式：ＪＡＣ−２（空気消費量：０．６ｍ３／ｍｉｎ）が使用できる。また、エアバキュームクリーナーと粉塵回収容器とが一体化されたもの（例えば、株式会社ブローバック：商品名ブローバッククリーナー）を使用してもよい。
【００１６】
次に、カバー１１について説明する。図２は、カバーが装着されたエアカッターを示す斜視図であり、図３、図４は、電柱とエアカッターとを示す平面図である。エアカッター１０は回転刃１６を備え、回転刃１６が電柱を切断する。回転刃１６の一部のみが露出しし、回転刃１６の残りの部分はカバー１１で覆われている。その結果、カバー１１により電柱切断時に発生する粉塵等の飛散が抑えられる。さらに、排出口１２からカバー１１の空気が吸引されるので、粉塵等がカバー１１内に留まることなく、外部に排出される。したがって、作業後の現場の清掃も比較的短時間で済む。
【００１７】
カバー１１は、切断に必要な部分のみを露出し、残りの部分を覆う構造であればよい。主カバー１１ａのように、回転刃１６を挟む２つの面１７ａ、１７ｂと、該２つの面を連結する、回転刃１６のエッジに沿った円弧状の側面１７ｃとで、構成されていることが好ましい。
【００１８】
図示するように、主カバー１１ａ、補助カバー１８、ダクトカバー１９を備えることが好ましい。さらに、回転軸１４ａにより主カバー１１ａにダクトカバー１９が回動可能に、回転軸１４ｂによりダクトカバー１９に補助カバー１８が回動可能に、それぞれ取り付けられているとより好ましい。これは、図３、４に示すように、回転刃１６が電柱１００内に進入するにつれ、補助カバー１８やダクトカバー１９が回動し、カバー１１と電柱１００との隙間がなるべく狭くなるように変形し、より粉塵等の飛散を抑えることができるからである。また、吸気効率を高めるために、カバー１１（例えば、面１７ａに）に吸気孔を設けてもよい。
【００１９】
図５に示すように、ローラー１１１とリンク１１２で構成される治具１１０を電柱１００に巻きつけ、治具１１０の基台１１３にエアカッター１０を取り付けてもよい。治具１１０によりエアカッター１０が電柱１００の周囲を回転するので、作業が容易になる。治具１１０の、電柱長手方向のいずれかの側に滑り止めベルト（図示しない）を巻きつけておくと、治具１１０がずれることがない。特に、電柱が立った状態で治具１１０の下側に滑り止めベルトを巻きつけると降下防止の効果もある。
【００２０】
図６は、粉塵回収容器２２の一例である。エアコンプレッサー２０からの圧縮空気はある程度の湿度があり、容器２２内での粉塵等の飛散がある程度抑えられる。しかし、工具の防錆の観点から、除湿された圧縮空気が排出されることが多い。したがって、粉塵回収容器２２内に水を入れておき、ホース１０５からの粉塵等を含んだ空気をパイプ２３を介して水の中に通して、粉塵等の飛散を抑える。また、孔が開いた、あるいは網目のある板２４を設けて、水からの泡状の空気の噴出を抑える。
【図面の簡単な説明】
【００２１】
【図１】図１は本考案に係る電柱切断装置の構成を示す図である。
【図２】図２はカバーが装着されたエアカッターを示す斜視図である。
【図３】図３は電柱とエアカッターとを示す平面図である。
【図４】図４は電柱とエアカッターとを示す平面図である。
【図５】図５は電柱と治具を示す図である。
【図６】図６は粉塵回収容器の一例を示す図である。
【符号の説明】
【００２２】
１              切断装置
１０              エアカッター
１１              カバー
１３              エア分岐管
１５              エアバキュームクリーナー
２２              粉塵回収容器
１０１〜１０５        ホース
【図１】
0003165564.tif 000003
【図２】
0003165564.tif 000004
【図３】
0003165564.tif 000005
【図４】
0003165564.tif 000006
【図５】
0003165564.tif 000007
【図６】
0003165564.tif 000008